【手続補正書】
【提出日】平成24年4月24日(2012.4.24)
【手続補正１】
【補正対象書類名】特許請求の範囲
【補正対象項目名】請求項１１
【補正方法】変更
【補正の内容】
【請求項１１】
粘着組成物、シール剤としてのシラン末端化、特に金属不含のポリウレタンにおいて、これは一般式VIa
（R6）n’NH(2-n’)（CH2）m’Si（R7）v’（OR8）(3-v’)    VIa
の少なくとも１つの脂肪族第一級又は第二級アミノアルコキシシラン、又は一般式VIb
（R6）n’NH(2-n’)CH2CH（R7）CH2Si（R7）v’（OR8）(3-v’)      VIb
の少なくとも１つの脂肪族第一級又は第二級アミノアルコキシシラン、特に式VIa及び／又はVIbの第二級アミノアルコキシシラン（n’は１である）
［VIa及びVIb中、R6は１〜１８個の炭素原子を有する線状又は分枝のアルキル基であり、R7は独立にメチル基であり、かつR8は独立にメチル基、エチル基又はプロピル基であり、v’は、０又は１であり、n’は０又は１であり、かつm’は０、１、２又は３であり、特にm’は３である］と、ポリウレタンプレポリマーの反応に基づき、その際に、更なる工程で前記定義に相応するカルボキシ化合物の存在で加水分解及び／又は縮合、特にアルコキシ基の加水分解及び／又は縮合を行うことを特徴とする、粘着組成物、シール剤としてのシラン末端化、特に金属不含のポリウレタン。
【手続補正２】
【補正対象書類名】明細書
【補正対象項目名】００１９
【補正方法】変更
【補正の内容】
【００１９】
Aは、次のものであってもよい：
１）１価のオレフィン基、特に
−（R9）2Ｃ＝Ｃ(R9)−M*k−
（式中、R9は、同じ又は異なっていてもよく、かつR9は、水素原子であるか、又はメチル基又はフェニル基であり、基Ｍ*は、−CH2−、−（CH2）2−、−（CH2）3−、−O(O)C（CH2）3−、又は−C(O)O−（CH2）3−の系列から成る基であり、ｋは０又は１であり、例えばビニル、アリル、３−メタクリロキシプロピル及び／又はアクリロキシプロピル、ｎ−３−ペンテニル、ｎ−４−ブテニル又はイソプレニル、３−ペンテニル、ヘキセニル、シクロヘキセニル、ターペンテニル、スクアラニル、スクアレニル、ポリターペニル、ベツルアプレノキシ（Betulaprenoxy）、シス／トランス−ポリイソプレニルである）
に相応する、又は
−  R8−Fg−[C(R8)＝C(R8)−C(R8)=C(R8)]r−Fg−、
（式中、R8は同じ又は異なっていて、かつR6は水素原子又は１〜３個の炭素原子を有するアルキル基又はアリール基又はアラルキル基、有利にはメチル基又はフェニル基を意味し、基Ｆは同じ又は異なっていて、かつＦは−CH2−、−（CH2）2−、−（CH2）3−、−O（O）C（CH2）3−又は−O（O）O−（CH2）3−の系列から成る基を意味し、ｒは１〜１００、特に１又は２であり、かつｇは０又は１である）、かつ
−  式IVb中、二価の基としてのAは式IVb中のオレフィン基、例えば相応のアルケニレン、例えば２−ペンテニレン、１，３−ブタジエニレン、イソ−３−ブテニレン、ペンテニレン、ヘキセニレン、ヘキセンジエニレン、シクロヘキセニレン、ターペニレン、スクアラニレン、スクアレニレン、ポリターペニレン、シス／トランス−ポリイソプレニレンである、及び／又は
２）Aは、IVaでもIVb中でも互いに独立に、IVb中の１価のアミノ官能基又は２価のアミノ官能基であることができ、特にAは−（CH2）3−NH2、−（CH2）3−NHR’、−（CH2）3−NH（CH2）2−NH2及び／又は−（CH2）3−NH（CH2）2−NH（CH2）2−NH2（式中、R’は１〜１８個の炭素原子を有する線状、分枝又は環状アルキル基、又は６〜１２個の炭素原子を有するアリール基である）に相応する式のアミノプロピル官能基であり、
−Aは、以下の一般式Va又はVb
R10h*NH(2-h*)[（CH2）h(NH)]j[（CH2）l(NH)]n−（CH2）k−  （Va）
（Va中、０≦ｈ≦６；ｈ*＝０、１又は２、ｊ＝０、１又は２であり、０≦ｌ≦６；ｎ＝０、１又は２；０≦ｋ≦６、かつR10はベンジル基、アリール基、ビニル基、ホルミル基及び／又は１〜８個の炭素原子を有する線状、分枝及び／又は環状アルキル基に相応する）、及び／又は
[NH2（CH2）m]2N（CH2）p−  （Vb）
（Vb中、０≦ｍ≦６かつ０≦ｐ≦６である）
のアミノ官能基のうち１つであり、
−  式VIb中のAは、式Vc
−（CH2）i−[NH（CH2）f]gNH[（CH2）f*NH]g*−（CH2）i*    （Vc）
（式Vc中、i、i*、f、f*、g又はg*は、同じ又は異なっていて、i及び／又はi*＝０〜８、f及び／又はf*＝１、２又は３、g及び／又はg*＝０、１又は２である）
の２価のビスアミノ官能基に相応することができる、
３）Aは、エポキシ基及び／又はエーテル基、特に３−グリシドキシアルキル基、３−グリシドキシプロピル基、エポキシアルキル基、エポキシシクロアルキル基、エポキシシクロヘキシル基、ポリアルキルグリコールアルキル基又はポリアルキルグリコール−３−プロピル基、又はジオールとして存在する相応の開環エポキシドであることができる。
【手続補正３】
【補正対象書類名】明細書
【補正対象項目名】００２８
【補正方法】変更
【補正の内容】
【００２８】
同様に、天然に得られる又は合成された不飽和脂肪酸を反応させて式IVa及び／又はIVbの前駆体化合物にすることができる。これらは、同じ２つの機能を満たすことができる。一方では、これらはシラン加水分解触媒として及び／又はシラノール縮合触媒として及び、これらはその不飽和炭化水素基により場合により所望の、特にイオン、ラジカル重合に直接に関与することができる。有利な不飽和脂肪酸は、ソルビン酸（R3＝C5H7）、ウンデシレン酸（R3＝C10H19）、パルミトレイン酸（R3＝C15H29）、オレイン酸（R3＝C21H41）、エラジン酸（R3＝C17H33）、バクセン酸（R3＝C19H37）、イコセン酸（R3＝C20H39）、セトレイン酸（R3＝C21H41）、エルカン酸（R3＝C21H41）、ネルボン酸（R3＝C23H45）、リノール酸（R3＝C17H29）、α−リノレン酸（R3＝C17H29）、γ−リノレン酸（R3＝C17H29）、アラキドン酸（R3＝C19H31）、チムノドン酸（R3＝C19H29）、クルパノドン酸（R3＝C21H33）、リジノール酸（１２−ヒドロキシ−９−オクタデセン酸）、（R3＝C17H33O）、及び／又はセルボン酸（R3＝C21H31）である。オレイン酸（R3＝C17H33）の少なくとも１つの基を含有している式IVa及び／又はIVbの前駆体化合物が特に有利である。
【手続補正４】
【補正対象書類名】明細書
【補正対象項目名】００５４
【補正方法】変更
【補正の内容】
【００５４】
式III中のＢは互いに独立に１価の有機官能性基であるのが有利であり、その際、
式III中のＢは、互いに独立に、アルキル−、アルケニル−、アリール−、エポキシ−、ジヒドロキシアルキル−、アミノアルキル−、ポリアルキルグリコールアルコキル−、ハロゲンアルキル−、メルカプトアルキル−、スルファンアルキル−、ウレイドアルキル−及び／又はアクリロキシアルキル官能基であり、特に１〜１８個の炭素原子を有する線状、分枝及び／又は環状アルキル基、及び／又は１〜１８個の炭素原子を有する線状、分枝及び／又は環状アルコキシ−、アルコキシアルキル−、アリールアルキル−、アミノアルキル−、ハロゲンアルキル−、ポリエーテル、アルケニル−、アルキニル−、エポキシ−、メタクリルロキシアルキル−及び／又はアクリロキシアルキル基、及び／又は６〜１２個の炭素原子を有するアリール基、及び／又は１〜１８個の炭素原子を有するウレイドアルキル−、メルカプトアルキル−、シアノアルキル−及び／又はイソシアノアルキル基に相応し、特にAは、１〜３００、特に１〜１８０、有利には１〜１００の鎖長ｎを有する式H3C−（O−CH2−CH2−）nO−CH2−、
H3C−（O−CH2−CH2−CH2−）nO−CH2−、
H3C−（O−CH2−CH2−CH2−CH2−）nO−CH2−、
H3C−（O−CH2−CH2−）nO−、
H3C−（O−CH2−CH2−CH2−）nO−、及び／又は
H3C−（O−CH2−CH2−CH2−CH2−）nO−のポリエーテル、及び／又は１〜１８個の炭素原子を有するイソアルキル基、１〜１８個の炭素原子を有するシクロアルキル基、３−メタクリロキシプロピル基、３−アクリロキシプロピル基、メトキシ基、エトキシ基、プロポキシ基、フルオロアルキル基、ビニル基、３−グリシジルオキシプロピル基、及び／又はアリル基に相応することができ、及び／又は
−  Ｂはシラン末端化ポリウレタンプレポリマー、特にプレポリマー−NH−CO−nBuN−（CH2）3−又はプレポリマー−NR−CO−nBuN−（CH2）3−［式中、Ｒ＝アルキル、有利にはメチル］であることができ、及び／又は
−Ｂは１価のオレフィン基にも相応し、例えば特に
−（R9*）2C＝C（R9*）−M*k*−
（式中、R9*は同じ又は異なっていてもよく、かつR9*は、水素原子であるか、又はメチル基又はフェニル基であり、基Ｍ*は、−CH2−、−（CH2）2−、−（CH2）3−、−O(O)C（CH2）3−、又は−C(O)O−（CH2）3−の系列から成る基であり、ｋ*は０又は１であり、例えば、ビニル、アリル、３−メタクリロキシプロピル及び／又はアクリロキシプロピル、ｎ−３−ペンテニル、ｎ−４−ブテニル又はイソプレニル、３−ペンテニル、ヘキセニル、シクロヘキセニル、ターペニル、スクアラニル、スクアレニル、ポリターペニル、ベツルアプレノキシ（Betulaprenoxy）、シス／トランス−ポリイソプレニルである）
に相応し、又は
−  R8’−Fg’−[C(R8’)＝C(R8’)−C(R8’)=C(R8’)]r’−F’g’−、
（式中、R8’は同じ又は異なっていてよく、かつＲ8’は水素原子又は１〜３個の炭素原子を有するアルキル基、又はアリール基又はアラルキル基、有利にはメチル基又はフェニル基を意味し、基Ｆ’は同じ又は異なっていて、かつF’は−CH2−、−（CH2）2−、−（CH2）3−、−O（O）C（CH2）3−又は−O（O）O−（CH2）3−の系列から成る基を意味し、ｒ’は１〜１００、特に１又は２であり、かつｇ’は０又は１である）
が含まれ、
−  かつ式III中のＢは互いに独立に一価のアミノ官能基であることができ、特にＢは式−（CH2）3-NH2、−（CH2）3−NHR’、−（CH2）3−NH(CH2)2-NH2及び／又は−（CH2）3-NH(CH2)2-NH(CH2)2-NH2のアミノプロピル官能基に相応し、ここで、R’は、１〜１８個の炭素原子を有する線状、分枝、又は環状アルキルであるか、又は６〜１２個の炭素原子を有するアリール基であり、
−  Ｂはシクロアルキルアミノアルキル基、シクロヘキシルアミノアルキル基、例えば、シクロヘキシルアミノプロピル基であり、
−  Ｂは、以下の一般式Va*又はVb*のアミノ官能基
R10h*NH(2-h*)[（CH2）h(NH)]j[（CH2）l(NH)]n−（CH2）k−  （Va*）
（Va*中、０≦ｈ≦６；ｈ*＝０、１又は２、ｊ＝０、１又は２であり、０≦ｌ≦６；ｎ＝０、１又は２；０≦ｋ≦６、かつR10はベンジル基、アリール基、ビニル基、ホルミル基及び／又は１〜８個の炭素原子を有する線状、分枝及び／又は環状アルキル基に相応する）、及び／又は
[NH2（CH2）m]2Ｎ（CH2）p−  （Vb*）
（Vb*中、０≦ｍ≦６かつ０≦ｐ≦６である）
に相応することができる。
−Ｂは、エポキシ基及び／又はエーテル基、特に３−グリシドキシアルキル基、３−グリシドキシプロピル基、エポキシアルキル基、エポキシシクロアルキル基、エポキシシクロヘキシル基、ポリアルキルグリコールアルキル基又はポリアルキルグリコール−３−プロピル基、又はそれらの相応する開環エポキシド（ジオールとして存在する）に相応する。
【手続補正５】
【補正対象書類名】明細書
【補正対象項目名】００７５
【補正方法】変更
【補正の内容】
【００７５】
本発明によれば、基質は、構造部材、ガラス、石英硝子、難燃剤（EP0970985及びEP955344の開示を完全に引用することにし、かつこれらの出願の内容を開示したことにする）、充填剤、担体材料、安定剤、添加剤、顔料、添加物及び／又は助剤であることができる。前記基質は、同様に、繊維、木材、紙、ボール紙、革、絹糸、綿のような有機物ならびに天然の有機基質、例えば植物繊維、例えばヒモ、亜麻の繊維、絹糸、木綿ならびに更に当業者に公知の無機基質であることができる。又は、無機基質、例えば花崗岩、モルタル、煉瓦、コンクリート、床、気泡コンクリート（Yton）、石膏、特に建築物保護の領域内の構造部材としてならびに更に当業者に公知の有機基質であることもできる。構造部材は、建築物、クラフト、芸術品の一部であるか、又は人造石、例えば人造大理石、人造花崗岩又は同様のものであることもできる。
【手続補正６】
【補正対象書類名】明細書
【補正対象項目名】０１４２
【補正方法】変更
【補正の内容】
【０１４２】
二者択一的に、式（VIa）及び／又は（VIb）中、n’＝０であることができ、この場合には第一級アミンである。